(57)【要約】【課題】充填樹脂におけるクラックの発生を抑えることができる点火装置を提供する。【解決手段】点火装置１が、樹脂ケース１１と、中心コア１２１（柱部分）を有するコア１２と、コイルボビン１３と、点火コイル１４と、円環部１５１、及び、円環部１５１から延在する４本の脚状部１５２、が樹脂で一体成形されたリテーナ１５と、樹脂ケース１１に充填された充填樹脂１６と、を備え、円環部１５１が中心コア１２１（柱部分）に貫通され、４本の脚状部１５２が、コイルボビン１３における貫通孔の内面と中心コア１２１（柱部分）の外周面との間を中心コア１２１（柱部分）に沿って底壁１１ｂに向かって各々が脚状に延在している。【選択図】図３
2018190943.tif 000002
【特許請求の範囲】
【請求項１】
開口を有する樹脂ケースと、
磁性材料で形成され、一端が前記開口から突出し、前記樹脂ケースにおいて前記開口と対向する底壁を貫通して他端が突出した、柱部分を有するコアと、
前記柱部分が貫通するとともに前記樹脂ケースの内部に配置されたコイルボビンと、
前記コイルボビンに巻かれた点火コイルと、
円環部、及び、当該円環部から延在する複数本の脚状部、が樹脂で一体成形されたリテーナと、
前記樹脂ケースに充填された充填樹脂と、を備え、
前記円環部が、前記コイルボビンにおける前記開口側の端部に、前記柱部分に貫通された状態で配置され、
前記複数本の脚状部が、前記コイルボビンにおける貫通孔の内面と前記柱部分の外周面との間を当該柱部分に沿って前記底壁に向かって延在しており、
前記充填樹脂は、前記円環部における前記複数本の脚状部とは反対側の少なくとも一部が露出するように充填されていることを特徴とする点火装置。
【請求項２】
前記柱部分が、多角柱状を有しており、
前記リテーナの前記複数本の脚状部それぞれが、前記柱部分の角に沿いつつ延在することを特徴とする請求項１に記載の点火装置。
【請求項３】
前記多角柱状が、四角柱状であり、
前記リテーナの前記複数本の脚状部が、前記柱部分の４つの角それぞれに各々が沿いつつ延在する４本の脚状部であることを特徴とする請求項２に記載の点火装置。
【請求項４】
前記円環部は、その内周縁が前記柱部分に沿った状態で当該柱部分に貫通されており、
前記複数本の脚状部は、各々、前記内周縁から当該柱部分に沿いつつ延び出したものであることを特徴とする請求項１〜３のうち何れか一項に記載の点火装置。
【請求項５】
前記リテーナが、ナイロン（登録商標）樹脂で形成されたものであることを特徴とする請求項１〜４のうち何れか一項に記載の点火装置。
【発明の詳細な説明】
【技術分野】
【０００１】
本発明は、点火用に高電圧を発生させる、内燃機関の点火装置に関するものである。
【背景技術】
【０００２】
従来、樹脂ケースにコアと点火コイルとを収納した点火装置が知られている（例えば、特許文献１参照。）。この特許文献１の点火装置では、樹脂ケースには充填樹脂が充填され、コアにおける樹脂ケースの内部に位置する部分や点火コイル等が充填樹脂で覆われた状態となっている。
【先行技術文献】
【特許文献】
【０００３】
【特許文献１】特開２００７−１６５４２１号公報
【発明の概要】
【発明が解決しようとする課題】
【０００４】
ここで、積層鉄心等で形成されるコアは、矩形状の柱部分を有していることが多く、上記の特許文献１では、このコアにおける柱部分が、樹脂ケース内に位置し、その柱部分と樹脂ケースの内壁面との間に充填樹脂が存在している。このとき、この特許文献１に記載の点火装置では、コアと充填樹脂との熱膨張係数の差異等に起因して、充填樹脂におけるコアとの接触部に応力が集中し、充填樹脂にクラックが発生する恐れがある。
【０００５】
従って、本発明は、上記のような問題に着目し、充填樹脂におけるクラックの発生を抑えることができる点火装置を提供することを目的とする。
【課題を解決するための手段】
【０００６】
上記課題を解決するために、本発明の点火装置は、開口を有する樹脂ケースと、磁性材料で形成され、一端が前記開口から突出し、前記樹脂ケースにおいて前記開口と対向する底壁を貫通して他端が突出した、柱部分を有するコアと、前記柱部分が貫通するとともに前記樹脂ケースの内部に配置されたコイルボビンと、前記コイルボビンに巻かれた点火コイルと、円環部、及び、当該円環部から延在する複数本の脚状部、が樹脂で一体成形されたリテーナと、前記樹脂ケースに充填された充填樹脂と、を備え、前記円環部が、前記コイルボビンにおける前記開口側の端部に、前記柱部分に貫通された状態で配置され、前記複数本の脚状部が、前記コイルボビンにおける貫通孔の内面と前記柱部分の外周面との間を当該柱部分に沿って前記底壁に向かって延在しており、前記充填樹脂は、前記円環部における前記複数本の脚状部とは反対側の少なくとも一部が露出するように充填されていることを特徴とする。
【０００７】
本発明の点火装置によれば、複数本の脚状部によってコアとコイルボビンとの位置決め、延いてはコアと樹脂ケースとの位置決めがなされた状態でコアは樹脂ケースに収納されている。そして、樹脂ケースへの充填樹脂における開口側の表面では、コアはリテーナにおける円環部を貫通した状態となっている。円環部には角が無いために、この円環部の外周近傍の充填樹脂には応力が集中しにくく、その結果、充填樹脂におけるクラックの発生を抑えることができる。
【０００８】
ここで、本発明の点火装置において、前記柱部分が、多角柱状を有しており、前記リテーナの前記複数本の脚状部それぞれが、前記柱部分の角に沿いつつ延在することが好適である。
【０００９】
この好適な点火装置では、多角柱状の柱部分における角に各々が沿いつつ延在する複数本の脚状部によって、コアの柱部分とコイルボビンとの位置決めを高い精度で行うことができる。
【００１０】
また、この好適な点火装置は、前記多角柱状が、四角柱状であり、前記リテーナの前記複数本の脚状部が、前記柱部分の４つの角それぞれに各々が沿いつつ延在する４本の脚状部であってもよい。
【００１１】
この点火装置では、四角柱状の柱部分の４つの角に沿いつつ延在する脚状部を設けることで安定的にかつ高い精度で位置決めを行うことができる。
【００１２】
また、本発明の点火装置において、前記円環部は、その内周縁が前記柱部分に沿った状態で当該柱部分に貫通されており、前記複数本の脚状部は、各々、前記内周縁から当該柱部分に沿いつつ延び出したものであることも好適である。
【００１３】
この好適な点火装置によれば、リテーナにおいて、円環部と柱部分との位置関係を、脚状部の長さ方向に亘って保つことができるので、高い精度で位置決めを行うことができる。
【００１４】
また、本発明の点火装置において、前記リテーナが、ナイロン（登録商標）樹脂で形成されたものであることも好適である。
【００１５】
ナイロン（登録商標）樹脂で形成されたリテーナは、コアが鉄で形成されている場合に、コアのサビを起因とするアルカリアタック対策として有効である。即ち、上記の好適な点火装置によれば、アルカリに対する耐食性を向上させることができる。
【発明の効果】
【００１６】
本発明の点火装置によれば、充填樹脂におけるクラックの発生を抑えることができる。
【図面の簡単な説明】
【００１７】
【図１】本発明の点火装置の一実施形態を示す斜視図である。
【図２】図１中のＶ１１−Ｖ１１線に沿った断面図である。
【図３】図１中のＶ１２−Ｖ１２線に沿った断面斜視図である。
【図４】リテーナの拡大斜視図である。
【図５】図４に示されているリテーナの六面図である。
【図６】中心コアによって円環部が貫通された状態のリテーナの六面図である。
【発明を実施するための形態】
【００１８】
以下、本発明の点火装置の一実施形態について説明する。
【００１９】
図１は、本発明の点火装置の一実施形態を示す斜視図である。また、図２は、図１中のＶ１１−Ｖ１１線に沿った断面図であり、図３は、図１中のＶ１２−Ｖ１２線に沿った断面斜視図である。
【００２０】
本実施形態の点火装置１は、内燃機関用の装置であり、樹脂ケース１１と、コア１２と、コイルボビン１３と、点火コイル１４と、リテーナ１５と、充填樹脂１６と、を備えている。この点火装置１は、点火コイル１４に生ずる誘導起電力を利用して点火用の高電圧を発生させる。
【００２１】
樹脂ケース１１は、ＰＢＴ(Poly  Butylene  Terephtalate)で形成され、開口１１ａを有する。コア１２は、中心コア１２１とサイドヨーク１２２を備えている。中心コア１２１とサイドヨーク１２２は、いずれも磁性材料としての鉄で形成された積層鉄心である。中心コア１２１は、一端１２１ａが開口１１ａから突出し、樹脂ケース１１において開口１１ａと対向する底壁１１ｂを貫通して他端１２１ｂが突出した四角柱部分となっている。サイドヨーク１２２は、中心コア１２１の一端１２１ａと他端１２１ｂとのそれぞれに結合している。
【００２２】
コイルボビン１３は、樹脂ケース１１の底壁１１ｂから開口１１ａに掛けて立った状態で納められ、中央の貫通孔１３ａを中心コア１２１が貫通している。点火コイル１４は、このコイルボビン１３の外周に巻きつけられている。
【００２３】
リテーナ１５は、円環部１５１と、４本の脚状部１５２と、がナイロン（登録商標）で一体成形されたものである。このリテーナ１５は、後で詳細に説明するが、４本の脚状部１５２によって中心コア１２１とコイルボビン１３との位置決め、延いては中心コア１２１と樹脂ケース１１との位置決めを行う。
【００２４】
そして、充填樹脂１６は、樹脂ケース１１の開口１１ａから注入、充填されたエポキシ樹脂である。この充填樹脂１６は、リテーナ１５の円環部１５１における４本の脚状部１５２とは反対側における厚み方向の半分が露出するように、樹脂ケース１１に充填されている。また、充填樹脂１６は、４本の脚状部１５２の相互間にも進入して充填されている。
【００２５】
図４は、リテーナの拡大斜視図であり、図５は、図４に示されているリテーナの六面図である。そして、図６は、中心コアによって円環部が貫通された状態のリテーナの六面図である。
【００２６】
上述したように本実施形態のリテーナ１５は、円環部１５１と、４本の脚状部１５２と、を備えている。
【００２７】
円環部１５１には、中心コア１２１の、中心軸１２１ｃに対する直交断面とほぼ同形状の四角形状の貫通孔１５１ａが設けられている。中心コア１２１はこの貫通孔１５１ａに嵌め込まれている。その結果、円環部１５１は、その内周縁１５１ａ−１が中心コア１２１に沿った状態で中心コア１２１に貫通される。そして、図２及び図３に示されているように、コイルボビン１３における開口１１ａ側の端部に、中心コア１２１に上記のように貫通された状態で配置される。
【００２８】
４本の脚状部１５２は、円環部１５１から、コイルボビン１３における貫通孔１３ａの内面と中心コア１２１の外周面との間を中心コア１２１に沿って樹脂ケース１１の底壁１１ｂに向かって各々が脚状に延在している。
【００２９】
ここで、本実施形態では、４本の脚状部１５２は、四角柱状の中心コア１２１において、中心軸１２１ｃを間に挟んで対向する二対の角１２１ｄに各々が沿いつつ延在する。また、４本の脚状部１５２は、各々、円環部１５１の内周縁１５１ａ−１から中心コア１２１に沿いつつ延び出している。各脚状部１５２における中心コア１２１の側は、中心コア１２１の角１２１ｄが嵌まり込むように直角溝１５２ａが形成されている。
【００３０】
以上に説明した本実施形態の点火装置１によれば、４本の脚状部１５２によってコア１２とコイルボビン１３との位置決め、延いてはコア１２と樹脂ケース１１との位置決めがなされた状態でコア１２は樹脂ケース１１に収納されている。そして、樹脂ケース１１への充填樹脂１６における開口１１ａ側の表面では、コア１２はリテーナ１５における円環部１５１を貫通した状態となっている。円環部１５１には角が無いために、この円環部１５１の外周近傍の充填樹脂１６には応力が集中しにくく、その結果、充填樹脂１６におけるクラックの発生を抑えることができる。
【００３１】
また、本実施形態の点火装置１では、中心コア１２１が、多角柱状である四角柱状を有しており、リテーナ１５の４本の脚状部１５２が、中心コア１２１の４つの角に各々が沿いつつ延在するように設けられている。この点火装置１におけるコア１２の中心コア１２１は、四角柱状の４つの角１２１ｄに各々が沿いつつ延在する４本の脚状部１５２を設けることで安定的にかつ高い精度で位置決めを行うことができる。
【００３２】
また、本実施形態の点火装置１では、リテーナ１５が、ナイロン（登録商標）樹脂で形成されたものとなっている。ナイロン（登録商標）樹脂で形成されたリテーナ１５は、積層鉄心で形成されたコア１２（特に、中心コア１２１）のサビを起因とするアルカリアタック対策として有効である。即ち、本実施形態の点火装置１によれば、アルカリに対する耐食性を向上させることができる。
【００３３】
また、本実施形態の点火装置１では、円環部１５１は、その内周縁１５１ａ−１が中心コア１２１に沿った状態で中心コア１２１に貫通されており、４本の脚状部は、各々、この内周縁１５１ａ−１から中心コア１２１に沿いつつ延び出している。これにより、リテーナ１５において、円環部１５１と中心コア１２１との位置関係を、脚状部１５２の長さ方向に亘って保つことができるので、高い精度で位置決めを行うことができる。
【００３４】
尚、以上に説明した実施形態は代表的な形態を示したに過ぎず、この実施形態に限定されるものではない。即ち、骨子を逸脱しない範囲で上述した点火装置を種々変形して実施することができる。かかる変形によってもなお上述の点火装置における本質的な構成を具備する限り、勿論、範疇に含まれるものである。
【００３５】
例えば、上述した実施形態では、本発明にいうリテーナの一例として、柱部分の一例としての四角柱状の中心コア１２１の４つの角１２１ｄに沿わせるように４本の脚状部１５２を設けたリテーナ１５が例示されている。しかしながら、本発明にいうリテーナは、これに限るものではない。本発明にいうリテーナは、例えば、四角柱状の柱部分の４つの角のうち、対向する一対の角に沿わせるように２本の脚状部を設けたもの等であってもよい。又は、これら２本の脚状部に加えて、残りの角のうちの１つに沿わせて１本を追加し、合計で３本の脚状部を設けてもよい。あるいは、柱部分の角に沿わせるのではなく、角と角との間の側面に沿わせて脚状部を設けてもよい。このように、本発明にいうリテーナは、脚状部の具体的な本数や配置は適宜に設定し得る。
【００３６】
また、上述した実施形態では、本発明にいうリテーナの一例として、円環部１５１に、柱部分の一例としての四角柱状の中心コア１２１に内周縁１５１ａ−１沿った状態で中心コア１２１に貫通される貫通孔１５１ａが設けられたリテーナ１５が例示されている。そして、このリテーナ１５では、４本の脚状部１５２は、各々、上記の内周縁１５１ａ−１から中心コア１２１に沿いつつ延び出したものとなっている。しかしながら、本発明にいうリテーナは、これに限るものではない。本発明にいうリテーナは、円環部に、柱状部の直交断面形状よりも大き目に、かつ直交断面形状とは異なる形状の貫通孔が設けられたものであってもよい。また、脚状部は、円環部の貫通孔の内周縁から離れた位置から、柱状部に沿わせて設けたものであってもよい。
【００３７】
また、上述した実施形態では、本発明にいう柱状部の一例として四角柱状の中心コア１２１ｂが例示されている。しかしながら、本発明にいう柱状部は、これに限るものではなく、例えば三角柱状や五角柱状等といった四角柱状以外の多角柱状のものであってもよく、あるいは丸棒状のもの等であってもよい。これらの場合には、リテーナにおける脚状部は、各形状の柱状部を安定的に位置決め可能なように、各角や側面、あるいは丸棒の周面に沿わせて複数本が設けられることとなる。
【００３８】
また、上述した実施形態では、本発明にいう樹脂ケースの一例としてＰＢＴ製の樹脂ケース１１が例示され、本発明にいうリテーナの一例としてナイロン（登録商標）製のリテーナ１５が例示されている。また、本発明にいう充填樹脂の一例としてエポキシ樹脂製の充填樹脂１６が例示されている。しかしながら、本発明にいう樹脂ケース、リテーナ、及び充填樹脂の材料はこれらに限るものではなく、適宜に設定し得るものである。ただし、ナイロン（登録商標）樹脂で形成されたリテーナを用いることで、アルカリに対する耐食性を向上させることができる点は上述した通りである。
【００３９】
また、上述した実施形態では、本発明にいうコアの一例として、積層鉄心で形成された中心コア１２１とサイドヨーク１２２とを備えたコア１２が例示されている。しかしながら、本発明にいうコアは、これに限るものではなく、積層鉄心以外の磁性材料で形成されたものであってもよく、また、上記のような分割構成ではなく、磁性材料で一体的に形成されたもの等であってもよい。
【符号の説明】
【００４０】
１    点火装置
１１  樹脂ケース
１１ａ  開口
１１ｂ  底壁
１２  コア
１３  コイルボビン
１３ａ，１５１ａ  貫通孔
１４  点火コイル
１５  リテーナ
１６  充填樹脂
１２１  中心コア
１２１ａ  一端
１２１ｂ  他端
１２１ｃ  中心軸
１２１ｄ  角
１２２  サイドヨーク
１５１  円環部
１５１ａ−１  内周縁
１５２  脚状部
【図１】
2018190943.tif 000003
【図２】
2018190943.tif 000004
【図３】
2018190943.tif 000005
【図４】
2018190943.tif 000006
【図５】
2018190943.tif 000007
【図６】
2018190943.tif 000008